(57)【要約】【課題】レンジフードへの着脱時に取扱いが容易であり、全体をコンパクト化しつつ油汚れを付着させてファンの汚れを防止し、落下に対する強度を向上して変形や潰れを防止できるようにしたファン用フィルターを提供する。【解決手段】強度部材からなる枠部１０の外形が角部を面取りした四角形又は五角形以上の多角形状に形成され、この枠部１０に設けられた開口部１４を覆うように不織布フィルター２０が設けられ、枠部１０の一部に着脱のための取付部１８が設けられている。【選択図】      図１
2015202433.tif 000002
【特許請求の範囲】
【請求項１】
強度部材からなる枠部の外形が角部を面取りした四角形又は五角形以上の多角形状に形成され、この枠部に設けられた開口部を覆うように不織布フィルターが設けられ、前記枠部の一部に着脱のための取付部が設けられていることを特徴とするファン用フィルター。
【請求項２】
店頭陳列用の包装具内に収納されており、該包装具が、前記枠部を収納し得る大きさの正面視四角形状の偏平な収納部と、該収納部の上端に連設され、引掛け用の孔部を有するヘッダ部とからなり、前記収納部の底辺に前記枠部の任意の一辺が対向しつつ前記収納部の両側辺により前記枠部の側部が位置規制され、前記枠部が前記収納部内で回転不能の状態で収納されていることを特徴とする請求項１に記載のファン用フィルター。
【請求項３】
前記枠部の開口部に帯状に補強部が架け渡し状態で設けられていることを特徴とする請求項１又は２に記載のファン用フィルター。
【請求項４】
前記枠部の外形は、六角形から十二角形までの多角形状であることを特徴とする請求項１から３のいずれか一項記載のファン用フィルター。
【請求項５】
前記枠部外周の複数箇所に前記取付部が設けられていることを特徴とする請求項１から４のいずれか一項記載のファン用フィルター。
【発明の詳細な説明】
【技術分野】
【０００１】
本発明は、レンジフードのファンの吸い込み口側に交換可能に取付けられ、油などの汚れを付着させてファンの汚れを防止するファン用フィルターに関する。
【背景技術】
【０００２】
従来より、レンジフードには金属製フィルターがファンの前面に設置されており、吸い込まれた油煙はこの金属製フィルターに設けられたスリット状の細かい隙間に触れることで油の粒子等が付着される。この金属製フィルターの汚れを防止するために、不織布製フィルターやアルミニウム枠付きカバー等が金属製フィルターに取付けられることがあり、また、近年では、金属製フィルターを設けることなく、ファンの前面に整流板が取付けられ、この整流板により吸気速度が加速されることで油煙がキャッチされ、油がオイルトレーに溜まるようにした機構も知られている。
【０００３】
このようなレンジフードでは、ダクトの長さや住宅の形態などにより各種のファンが用いられてきたが、最近では住宅の気密性の向上によってシロッコファンに集約されつつある。特に、シロッコファンに油汚れが付着すると、表面を拭き取るだけでは汚れを十分に落とすことが難しいため、ファンの回転翼部分をレンジフードから取り外して清掃する必要が生じ、その作業が非常に面倒になっている。
そこで、ファンや金属製フィルターへの油汚れの付着を防止し、しかも金属製フィルターが装着されていない場合にも、ファンの油汚れを防止できるようにしたファン用フィルターが提案されている。
【０００４】
この種のファン用フィルターとして、例えば、特許文献１のシロッコファン用フィルター構造体が開示されている。このファン用フィルター構造体では、フィルターと、フィルターを広げた状態に保持する保持手段と、保持手段が取付けられたフィルターを固定する固定手段が設けられ、フィルターは、金属製フィルターを外した状態で保持手段の枠体により吸気口の前面に広げられながら固定手段の磁石により取付けられる。
特許文献２のレンジフード用フィルターは、上方部の両端角隅部に磁石を備えた金属把手、下方部に着脱用磁石を有するフィルターであり、ファンの前面側の開口に設けられた金属製フィルターの前面の全体を覆うように取付けられる。
特許文献３においては、磁石片が装着されたアルミシート材が開示されており、この中でアルミシート材にフィルターが張設され、両側縁部の耳部に磁石片が設けられたレンジフード取付け用のフード用フィルターが記載されている。
【先行技術文献】
【特許文献】
【０００５】
【特許文献１】特許第４９３６５００号公報
【特許文献２】特開平９−２９０３１号公報
【特許文献３】実公平７−３７０８１号公報
【発明の概要】
【発明が解決しようとする課題】
【０００６】
しかしながら、特許文献１のフィルター構造体は、金属製フィルターが外された状態のレンジフードに対して、シート状のフィルターが保持手段で保持されつつ、固定手段で固定されることでこれらパーツが組み合わされて一体化されているため取扱いづらくなり、シート状フィルターが着脱時に撓んだり折れ曲がったりするおそれがあった。
特許文献２のレンジフード用フィルターは、金属製フィルターの前面全体を覆う形状であるため全体が大きくなり、コストアップにもつながるという問題が生じていた。
【０００７】
特許文献３においては、補強枠部が設けられたアルミニウム製の周枠にフード用フィルターが取付けられ、この周枠に設けられた磁石片を介してレンジフードに着脱していることで、ファン部分のみを覆いながら着脱することは可能である。しかし、このフード用フィルターを包装した場合、その強度を十分に確保することが難しくなる。すなわち、この四角形状のフード用フィルターをその形状に沿った四角形状の袋に収納した場合、角部が下向きで落下したときにその接触部分が点接触に近い状態になるため、衝撃が大きく伝わって変形したり潰れたりする可能性がある。
一方、円形状のファン用フィルターである場合、この円形フィルターの収納用の袋も四角形状に設けられるが、この場合、落下したときに円形フィルターが点接触で接地するためにその衝撃力が大きくなって潰れやすくなる。そのため、この種のフィルター包装用袋には、衝撃吸収用の台紙が内装されることもある。
【０００８】
本発明は、このような事情に鑑みてなされたもので、レンジフードへの着脱時に取扱いが容易であり、全体をコンパクト化しつつ油汚れを付着させてファンの汚れを防止し、落下に対する強度を向上して変形や潰れを防止できるようにしたファン用フィルターを提供することを目的とする。
【課題を解決するための手段】
【０００９】
本発明のファン用フィルターは、強度部材からなる枠部の外形が外部を面取りした四角形又は五角形以上の多角形状に形成され、この枠部に設けられた開口部を覆うように不織布フィルターが設けられ、前記枠部の一部に着脱のための取付部が設けられていることを特徴とする。
【００１０】
このように、多角形状に形成された枠部に不織布フィルターが開口部を覆うように設けられていることで、不織布フィルターが補強されて撓んだり折れ曲がったりすることがなく、枠部と一体にレンジフードに着脱することができる。多角形状の枠部をファンの吸い込み口と同形状に設けることで、全体がコンパクト化されながら油汚れが付着しやすい部分を覆うことが可能になり、材料も最小限になりコスト的にも有利となる。枠部に一体化されたフィルターを取付部を介してレンジフィルターに着脱することができるため、接着用のテープや取付け用の工具を必要とすることなく、各種のファンに使用可能となる。さらには、金属製フィルターに取り付けられるタイプのフィルターやアルミ付きカバーとの併用も可能になる。
【００１１】
本発明のファン用フィルターにおいて、店頭陳列用の包装具内に収納されており、該包装具が、前記枠部を収納し得る大きさの正面視四角形状の偏平な収納部と、該収納部の上端に連設され、引掛け用の孔部を有するヘッダ部とからなり、前記収納部の底辺に前記枠部の任意の一辺が対向しつつ前記収納部の両側辺により前記枠部の側部が位置規制され、前記枠部が前記収納部内で回転不能の状態で収納されているとよい。
【００１２】
この包装具への枠部の収納時には、収納部の底辺に多角形状の枠部の任意の一辺が支持されて枠部が安定して収納される。そして、ヘッダ部の孔部にフックを引っ掛けて店頭陳列されるが、その陳列状態から取り外した際等に、包装具が収納部の底辺から落下した場合には、この底辺から枠部の一辺側に床面や地面からの衝撃が線接触に近い状態で伝達される。このため、衝撃力が分散され、枠部全体の変形や潰れが防がれる。一方、包装具が傾いた状態で収納部の底辺と側辺との間の角部を下にして落下した場合には、この角部付近に枠部の辺が位置しておらず、その衝撃力が収納部によって吸収されるために枠部全体の変形や潰れが防止される。
【００１３】
本発明のファン用フィルターにおいて、前記枠部の開口部に帯状に補強部が架け渡し状態で設けられていることが望ましい。
帯状に補強部が設けられていることで枠部が補強され、落下により外力が加わった場合にも枠部を潰す方向の変形が防がれる。使用時においても歪みの発生が防止され、ファンとの隙間の発生が抑えられた状態で装着することができ、ファンへの油の付着防止機能が高まる。
【００１４】
本発明のファン用フィルターにおいて、前記枠部の外形は、六角形から十二角形までの多角形状であるとよい。
これにより、円形状の吸い込み口を有するシロッコファンに沿った枠部外形に設けられ、全体の大型化や使用される材料の量が抑えられる。枠部の任意の一辺が包装具の底辺側に確実に対向しながら枠部が収納されるため、落下したときに底辺側の任意の一辺が線接触で接地しやすくなり枠部の変形や潰れが確実に防止される。
【００１５】
また、本発明のファン用フィルターにおいて、前記枠部外周の複数箇所に前記取付部が設けられていることが望ましい。
これによると、必要最小限の２か所の取付部の着脱によりファンの筐体への取り付け、取り外しが簡単になり、取り付け後には吸い込み口側の所定位置に強固に装着される。取付部を成す材料を削減でき、製作も容易となる。
【発明の効果】
【００１６】
本発明のファン用フィルターによれば、全体を一体的に取り扱えるためレンジフードへの着脱が容易になり、レンジフードを分解することなく磁石による取付部を介して取付けでき、全体をコンパクト化しつつファンの開口側全体を覆うことで油汚れを付着させてファンの汚れを防止し、多角形状に設けていることで落下に対する強度を向上して変形や潰れを防止できる。
【図面の簡単な説明】
【００１７】
【図１】本発明のファン用フィルターの実施形態を示す平面図である。
【図２】図１のファン用フィルターの中央横断面図である。
【図３】包装具に収納した状態のファン用フィルターを示す平面図である。
【発明を実施するための形態】
【００１８】
以下、本発明のファン用フィルターの実施形態を図面を参照しながら説明する。
図１、図２において、ファン用フィルター１は、例えば、図示しないキッチンの換気扇であるシロッコファンの筐体に設けられた吸い込み口側を覆うように取付けられ、ファンの換気時に湯煙等が吸い込まれて油などの汚れが付着される。このファン用フィルター１は、枠部１０と、不織布フィルター２０とを有し、その販売の際には、全体が包装具３０に収納される。
【００１９】
図１に示すように、枠部１０は、アルミニウム箔により形成されており、円筒状の筒状部１１の一端に、筒状部１１の半径方向外方に延びる外向きフランジ部１２が一体に形成されるとともに、筒状部１１の他端に、筒状部１１の半径方向内方に延びる内向きフランジ部１３が一体に形成されている。内向きフランジ部１３の内側は開口部１４とされる。また、この実施形態では、外向きフランジ部１２の外形は十角形に形成されているが、五角形以上の適宜の多角形状に設けられていればよい。
なお、この枠部１０の外縁部及び内縁部（開口部１４の内周縁部）は、アルミニウム箔の端縁を丸めた縁巻き状態に形成されている。
【００２０】
枠部１０の開口部１４の内面側には、不織布フィルター２０がヒートシール等の接着手段等により設けられ、この不織布フィルター２０により開口部１４全体が覆われている。不織布フィルター２０は、難燃性不織布を材料として適宜の厚さに設けられる。
さらに、開口部１４には、帯状の補強部１５が略十字形状に架け渡し状態で枠部１０と一体に設けられ、この補強部１５によって枠部１０の中央部分が補強されている。この補強部１５により、開口部１４は４個に分割して設けられる。
【００２１】
図２に示すように、枠部１０外周の外向きフランジ部１２の一部には、１８０°対向する位置に突出部１６が形成され、この突出部１６の裏面に磁石１７が取り付けられており、これら突出部１６及び磁石１７により、ファンの金属面に着脱するための取付部１８を構成している。この磁石１７は突出１６に両面テープによる貼り付け、或はプラスチック製のリベットにより固着されている。
【００２２】
そして、このファン用フィルター１は、図３に示した店頭陳列用の包装用袋等の包装具３０内に収納される。包装具３０は、例えばポリエチレンによって形成され、枠部１０を収納し得る大きさの正面視四角形状の偏平な袋部である収納部３１と、該収納部３１の上端に連設され、引掛け用の孔部３２を有するヘッダ部３３とからなっている。
【００２３】
収納部３１の底辺３５には、枠部１０の外向きフランジ部１２の任意の一辺１２ａが対向しつつ収納部３１の両側辺３６により枠部１０の側部１２ｂが位置規制されており、これによって枠部１０が収納部３１内で回転不能の状態で収納されている。本実施形態の場合、枠部１０の側部１２ｂは、外向きフランジ部１２の角部が相当する。
包装具３０は、スーパー等の小売店において、ファン用フィルター１が収納された状態で、孔部３２を商品陳列用フック（図示略）に引っ掛けて、フックからぶら下げた状態で陳列されるようになっている。
【００２４】
続いて、本発明のファン用フィルター１の上記実施形態における作用を説明する。
本発明のファン用フィルター１は、レンジフード内のファンの吸い込み口を覆うように取り付けられ、枠体１０の左右の取付部１８の磁石１７をレンジフードの鉄製のハウジング表面に吸着させることにより、レンジフードに取り付けることができる。このファン用フィルター１は、枠部１０、不織布フィルター２０がパーツごとに分かれることなく一体に設けられているとともに、取付部１８も枠部１０に一体に設けられているため、組み合わせ作業を要することなくファンの吸い込み口側にワンタッチで簡単に取付けることができ、作業が煩雑になることなく頭上に設定されたレンジフードにも容易に取り付けでき、作業者の負担が抑えられる。
【００２５】
また、このファン用フィルター１は前述したようにスーパー等でフックに引っ掛けて陳列されるが、枠部１０の外形が五角形以上の多角形状であり、この枠部１０における任意の一辺１２ａが包装具３０の底辺３５側に対向した状態で収納されているため、陳列状態から垂直に落下した場合には、底辺３５から接地してこれに沿うように枠部１０の一辺１２ａが線接触状態で接地することになり、力が分散されるため、枠部１０の変形や潰れを防止することができる。
一方、包装具３０が傾いた状態で収納部３１の底辺３５と側辺３６との間の角部３７を下にして落下した場合には、この角部３７から離れた位置に枠部１０の辺１２ｃが傾斜して配置され、その角部３７には位置していないため、その衝撃力が収納部３１によって吸収されるために枠部１０の変形や潰れが防止される。
【００２６】
このため、衝撃吸収用の台紙を必要とすることなく、アルミニウム合金材料で形成された枠部１０の変形や潰れが軽減される。
枠部１０の外形が五角形以上であれば、収納部３１の底辺３５に枠部１０の一辺が平行になり、その一辺の両隣の辺が収納部３１の底辺３５に対して傾斜した配置となるから、収納部３１の角部３７では枠部１０の辺が傾斜して配置され、落下の際に上述した作用を奏することができる。この枠部１０の外形は六角形以上、十二角形以下がより好ましい。
ただし、全体としては四角形の外形であっても、その角部が丸く面取りされ、正面視四角形状の包装具の収納部に収納したときに、収納部の底辺に対して面取り部が実質的に傾斜した配置となる場合にも、本発明を適用することができる。
【００２７】
なお、本発明は上記実施形態に限定されるものではなく、本発明の趣旨を逸脱しない範囲において種々の変更を加えることが可能である。
例えば、本発明のファン用フィルターは、シロッコファン用に限られることはなく、各種態様のファン用フィルターとして用いることも可能である。
また、枠部をアルミニウム合金材料により形成したが、鉄、ステンレス、プラスチック等を用いることが可能であり、直接火に当たる箇所ではないので、紙や木等の可燃性材料も使用することができる。要は、不織布フィルターに対して強度部材になり得る材料であればよい。
また、取付部に磁石を設けて、磁力によって着脱する構成としたが、面ファスナーによって着脱することとしてもよい。
さらに、枠部外周の１８０°対向する位置の２箇所に取付部を設けたが、３箇所以上に設けてもよい。
また、包装具としては実施形態の包装用袋以外にも、非晶性ポリエチレンテレフタレート（Ａ−ＰＥＴ）により形成された包装具を用いることができる。
【符号の説明】
【００２８】
１…ファン用フィルター
１０…枠部
１１…筒状部
１２…外向きフランジ部
１２ａ…一辺
１２ｂ…側部
１２ｃ…辺
１３…内向きフランジ部
１４…開口部
１５…補強部
１６…突出部
１７…磁石
１８…取付部
２０…不織布フィルター
３０…包装具
３１…収納部
３２…孔部
３３…ヘッダ部
３５…底辺
３６…側辺
３７…角部
【図１】
2015202433.tif 000003
【図２】
2015202433.tif 000004
【図３】
2015202433.tif 000005